(57)【要約】【課題】第１ケース７５と第２ケース２２９をコンパクトに支持できると共に、第１ケース７５と第２ケース２２９の支持剛性を容易に向上できるようにしたコンバインを提供しようとするものである。【解決手段】ディーゼルエンジン１４の排気ガス中の粒子状物質を除去する第１ケース７５と、エンジン１４の排気ガス中の窒素酸化物質を除去する第２ケース２２９を備えるコンバインにおいて、エンジンルーム９７の外側に第１ケース７５を設け、エンジンルーム９７に隣接した脱穀装置５上面側に前記第２ケース２２９を設けると共に、第１ケース７５上部に尿素混合管２３９を介して第２ケース２２９前部を接続したものである。【選択図】図６
2016146772.tif 000002
【特許請求の範囲】
【請求項１】
エンジンの排気ガス中の粒子状物質を除去する第１ケースと、前記エンジンの排気ガス中の窒素酸化物質を除去する第２ケースとで構成される排気ガス浄化装置を備えたコンバインにおいて、
エンジンルームの外側に第１ケース支持体を介して前記第１ケースを設け、前記エンジンルームに隣接した脱穀装置上面側に第２ケース支持体を介して前記第２ケースを設けると共に、前記第１ケース上部に尿素混合管を介して前記第２ケース前部を接続したことを特徴とするコンバイン。
【請求項２】
前記脱穀装置上面に沿わせて前記第２ケースを前後向きに支持する一方、前記エンジンルーム背面の穀物タンク前面に沿わせて前記尿素混合管を左右向きに延設したことを特徴とする請求項１に記載のコンバイン。
【請求項３】
前記第２ケース支持体を前記脱穀装置に防振体を介して固定することで、前記第２ケースを前記脱穀装置上に支持させたことを特徴とする請求項１又は２に記載のコンバイン。
【請求項４】
前記第１ケースを、前記エンジンルームを構成するエンジンルームフレームに支持させており、
前記エンジンと前記第１ケースの排気ガス入口とを蛇腹状の排気ガス導入管で連結するとともに、前記第１ケースの排気ガス出口と前記尿素混合管の排気ガス入口とを蛇腹状の排気ガス出口管で連結したことを特徴とする請求項１〜３のいずれか一項に記載のコンバイン。
【発明の詳細な説明】
【技術分野】
【０００１】
本発明は、圃場に植立した穀稈を刈取って穀粒を収集するコンバイン、又は飼料用穀稈を刈取って飼料として収集する飼料コンバイン等のコンバインに係り、より詳しくは、ディーゼルエンジン等の排気ガス中に含まれた粒子状物質（すす、パティキュレート）、または排気ガス中に含まれた窒素酸化物質（ＮＯｘ）等を除去する排気ガス浄化装置が備えられたコンバインに関するものである。
【背景技術】
【０００２】
従来から、ディーゼルエンジンの排気経路中に、排気ガス浄化装置（排気ガス後処理装置）として、ディーゼルパティキュレートフィルタを内設したケース（以下、ＤＰＦケースという）と、尿素選択還元型触媒を内設したケース（以下、ＳＣＲケースという）を設け、ＤＰＦケースとＳＣＲケースに排気ガスを導入して、ディーゼルエンジンから排出された排気ガスを浄化処理する技術が知られている（例えば特許文献１〜３参照）。また、従来、コンバインは、圃場の未刈り穀稈を刈刃装置によって切断し、穀稈搬送装置によって脱穀装置にその刈取り穀稈を搬送して脱穀し、穀物タンクに穀粒を収集する構造であって、走行機体にエンジンが搭載され、そのエンジン上面側にＤＰＦケースが横向き姿勢に配置され、エンジンからＤＰＦケースに向けて排気ガスを排出するように構成していた。（例えば、特許文献４参照）。
【先行技術文献】
【特許文献】
【０００３】
【特許文献１】特開２００９−７４４２０号公報
【特許文献２】特開２０１２−２１５０５号公報
【特許文献３】特開２０１２−１７７２３３号公報
【特許文献４】特開２０１０−２０９８１３号公報
【発明の概要】
【発明が解決しようとする課題】
【０００４】
前記従来技術は、エンジンルームに、エンジンと排気ガス浄化装置（ＤＰＦケース）を近接させて設置する構造では、エンジン取付け部の周辺に排気ガス浄化装置（ＳＣＲケース）の設置スペースを確保する必要があり、エンジンルーム容積または排気ガス浄化装置（ＤＰＦケースまたはＳＣＲケース）容積が制限される等の問題がある。また、エンジンルーム外側に排気ガス浄化装置（ＤＰＦケースまたはＳＣＲケース）を支持させる構造では、ＤＰＦケースにＳＣＲケースを接続させる尿素混合管、または排気ガス浄化装置などの取付け位置が制限され、排気ガス浄化装置の取付け構造を簡略化できない等の問題がある。なお、貨物自動車のように、エンジンから離れた位置の走行機体に排気ガス浄化装置（ＤＰＦケースまたはＳＣＲケース）を設置する構造では、排気ガス浄化装置の設置スペースを容易に確保できるが、排気ガス浄化装置内の排気ガス温度が所定温度以下に低下し易い不具合がある。
【０００５】
そこで、本願発明は、これらの現状を検討して改善を施したコンバインを提供しようとするものである。
【課題を解決するための手段】
【０００６】
前記目的を達成するため、本願発明のコンバインは、エンジンの排気ガス中の粒子状物質を除去する第１ケースと、前記エンジンの排気ガス中の窒素酸化物質を除去する第２ケースとで構成される排気ガス浄化装置を備えたコンバインにおいて、エンジンルームの外側に第１ケース支持体を介して前記第１ケースを設け、前記エンジンルームに隣接した脱穀装置上面側に第２ケース支持体を介して前記第２ケースを設けると共に、前記第１ケース上部に尿素混合管を介して前記第２ケース前部を接続したものである。
【０００７】
上記コンバインにおいて、前記脱穀装置上面に沿わせて第２ケースを前後向きに支持する一方、前記エンジンルーム背面のグレンタンク前面に沿わせて前記尿素混合管を左右向きに延設したものとしても構わない。
【０００８】
また、上記コンバインにおいて、前記第２ケース支持体を前記脱穀装置に防振体を介して固定することで、前記第２ケースを前記脱穀装置上に支持させたものとしても構わない。
【０００９】
また、前記第１ケースを、前記エンジンルームを構成するエンジンルームフレームに支持させており、前記エンジンと前記第１ケースの排気ガス入口とを蛇腹状の排気ガス導入管で連結するとともに、前記第１ケースの排気ガス出口と前記尿素混合管の排気ガス入口とを蛇腹状の排気ガス出口管で連結したものとしても構わない。
【００１０】
また、前記エンジンルームの外側に第１ケースを縦型に支持すると共に、前記グレンタンク左側と平行に前記第２ケースを前記脱穀装置上面で横型に支持し、前記尿素混合管に前記第２ケースを平面視Ｌ形に連結したものとしても構わない。
【発明の効果】
【００１１】
本願発明によれば、エンジンルーム外側で第１ケースと尿素混合管をコンパクトに支持できると共に、エンジンルームまたは脱穀装置にて第１ケースと第２ケースの支持荷重を分担して、第１ケースと第２ケースを高剛性に固着できる。また、穀物タンクの穀物収納容量を簡単に確保できるものでありながら、エンジンルームと、該ルームに隣接した穀物タンクの間に、第１ケースと尿素混合管をコンパクトに設置できる。さらに、排気ガスの浄化に必要な高温に第１ケースと尿素混合管の温度を容易に維持できる。
【００１２】
本願発明によれば、穀物タンクの穀粒排出コンベヤよりも低い姿勢に前記尿素混合管と第２ケースをコンパクトに設置できるものでありながら、第２ケースと、第２ケースに接続するテールパイプなどを、脱穀装置の上面側に容易に配置でき、組付け作業性またはメンテナンス作業性などを向上できる。また、エンジンとテールパイプ間の排気経路を短尺に形成して、排気ガスの浄化に必要な高温度に、排気経路中の排気ガスの温度を容易に維持できる。
【００１３】
本願発明によれば、第２ケースを防振支持することができるため、脱穀装置５の振動に第２ケースが影響を受けることなく、第２ケースの破損や故障を防止できると同時に、尿素混合管との連結の緩みを防止できる。また、第２ケースを防振支持できることから、脱穀装置上の第２ケースの配置場所が固定化されず、排気経路の取り回しなどを短経路化するなど柔軟に設計できる。
【００１４】
本願発明によれば、第１ケース及び第２ケースのそれぞれが振動源の異なる場所に配置されるものであっても、排気ガス導入管及び排気ガス出口管それぞれで振動を吸収できるため、連結部分の破損又は故障を防止できる。また、尿素混合管の排気ガス入口よりも上流側で振動を吸収する構造となるため、尿素混合管内での尿素噴射に対して、各部の振動が与える影響を低減でき、尿素混合管内での尿素析出を抑制し、結果、高い浄化効果を維持できる。
【図面の簡単な説明】
【００１５】
【図１】本発明の実施形態を示す６条刈りコンバインの左側面図である。
【図２】同平面図である。
【図３】同右側面図である。
【図４】脱穀装置上における排気ガス浄化装置の配置を示す斜視図である。
【図５】排気ガス浄化装置取付け部の背面斜視図である。
【図６】図５の拡大説明図である。
【図７】同背面図である。
【図８】同正面斜視図である。
【図９】尿素水タンク部の正面図である。
【図１０】図９の拡大説明図である。
【図１１】尿素水供給説明図である。
【図１２】変形例を示す尿素水タンク部の正面図である。
【発明を実施するための形態】
【００１６】
以下に、本発明を具体化した実施形態を図１〜図９に基づいて説明する。図１〜図３を参照して、ディーゼルエンジンが搭載された実施形態のコンバインの全体構造について説明する。なお、以下の説明では、走行機体１の前進方向に向かって左側を単に左側と称し、同じく前進方向に向かって右側を単に右側と称する。図１〜図３に示す如く、走行部としての左右一対の走行クローラ２にて支持された走行機体１を備える。走行機体１の前部には、穀稈を刈取りながら取込む６条刈り用の刈取装置３が、単動式の昇降用油圧シリンダ４によって刈取回動支点軸４ａ回りに昇降調節可能に装着される。走行機体１には、フィードチェン６を有する脱穀装置５と、該脱穀装置５から取出された穀粒を貯留する穀物タンク（グレンタンク）７とが横並び状に搭載される。なお、脱穀装置５が走行機体１の左側に、穀物タンク７が走行機体１の右側に配置される。
【００１７】
また、走行機体１の後部に縦取出しコンベヤ８ａを介して旋回可能な穀物排出コンベヤ８が設けられ、穀物タンク７の内部の穀粒が、穀物排出コンベヤ８の籾投げ口９からトラックの荷台またはコンテナ等に排出されるように構成している。刈取装置３の右側方で、穀物タンク７の前側方には、運転キャビン１０が設けられている。運転キャビン１０の前面下部にキャビン回動支点軸１０ａを設け、キャビン回動支点軸１０ａを介して走行機体１に運転キャビン１０の前面下部を回動可能に軸支し、機外前側方に向けて運転キャビン１０を移動可能に設置し、キャビン回動支点軸１０ａ回りに運転キャビン１０を前方側に回動させるように構成している。
【００１８】
運転キャビン１０内には、操縦ハンドル１１と、運転座席１２と、主変速レバー１５と、副変速レバー１６と、脱穀クラッチを入り切り操作する脱穀クラッチレバー１７と、刈取クラッチを入り切り操作する刈取クラッチレバー１８とを配置している。運転座席１２の下方の走行機体１には、動力源としてのディーゼルエンジン１４が配置されている。なお、運転キャビン１０には、オペレータが搭乗するステップと、操縦ハンドル１１を設けたハンドルコラムと、前記各レバー１５，１６，１７，１８を設けたレバーコラム等が配置されている。
【００１９】
図１に示す如く、走行機体１の下面側に左右のトラックフレーム２１を配置している。トラックフレーム２１には、走行クローラ２にエンジン１４の動力を伝える駆動スプロケット２２と、走行クローラ２のテンションを維持するテンションローラ２３と、走行クローラ２の接地側を接地状態に保持する複数のトラックローラ２４と、走行クローラ２の非接地側を保持する中間ローラ２５とを設けている。駆動スプロケット２２によって走行クローラ２の前側を支持し、テンションローラ２３によって走行クローラ２の後側を支持し、トラックローラ２４によって走行クローラ２の接地側を支持し、中間ローラ２５によって走行クローラ２の非接地側を支持する。
【００２０】
図１、図２に示す如く、刈取装置３の刈取回動支点軸４ａに連結した刈取フレーム５１には、圃場に植立した未刈り穀稈の株元を切断するバリカン式の刈刃装置５２が設けられている。刈取フレーム５１の前方には、圃場に植立した未刈り穀稈を引起す６条分の穀稈引起装置５３が配置されている。穀稈引起装置５３とフィードチェン６の前端部（送り始端側）との間には、刈刃装置５２によって刈取られた刈取り穀稈を搬送する穀稈搬送装置５４が配置される。なお、穀稈引起装置５３の下部前方には、未刈り穀稈を分草する６条分の分草体５５が突設されている。圃場内を移動しながら、刈取装置３によって圃場に植立した未刈り穀稈を連続的に刈取るように構成している。
【００２１】
次に、図１及び図２を参照して、脱穀装置５の構造を説明する。図１及び図２に示す如く、脱穀装置５には、穀稈脱穀用の扱胴５６と、扱胴５６の下方に落下する脱粒物を選別する揺動選別盤５７及び唐箕ファン５８と、扱胴５６の後部から取出される脱穀排出物を再処理する処理胴５９と、揺動選別盤５７の後部の排塵を排出する排塵ファン６０を備えている。なお、刈取装置３から穀稈搬送装置５４によって搬送された穀稈は、フィードチェン６に受継がれて、脱穀装置５に搬入されて扱胴５６にて脱穀される。
【００２２】
図１に示す如く、揺動選別盤５７の下方側には、揺動選別盤５７にて選別された穀粒（一番物）を取出す一番コンベヤ６１と、枝梗付き穀粒等の二番物を取出す二番コンベヤ６２とが設けられている。揺動選別盤５７は、扱胴５６の下方に張設された受網６７から漏下した脱穀物が、フィードパン６８及びチャフシーブ６９によって揺動選別（比重選別）されるように構成している。揺動選別盤５７から落下した穀粒は、その穀粒中の粉塵が唐箕ファン５８からの選別風によって除去され、一番コンベヤ６１に落下する。一番コンベヤ６１から取出された穀粒は、揚穀コンベヤ６３を介して穀物タンク７に搬入され、穀物タンク７に収集される。
【００２３】
また、図１に示す如く、揺動選別盤５７は、揺動選別によってチャフシーブ６９から枝梗付き穀粒等の二番物を二番コンベヤ６２に落下させるように構成している。チャフシーブ６９の下方に落下する二番物を風選する選別ファン７１を備える。チャフシーブ６９から落下した二番物は、その穀粒中の粉塵及び藁屑が選別ファン７１からの選別風によって除去され、二番コンベヤ６２に落下する。二番コンベヤ６２の終端部は、還元コンベヤ６６を介して、フィードパン６８の上面側に連通接続され、二番物を揺動選別盤６７の上面側に戻して再選別するように構成している。
【００２４】
一方、図１及び図２に示す如く、フィードチェン６の後端側（送り終端側）には、排藁チェン６４と排藁カッタ６５が配置されている。フィードチェン６の後端側から排藁チェン６４に受継がれた排藁（穀粒が脱粒された稈）は、長い状態で走行機体１の後方に排出されるか、又は脱穀装置５の後部に設けられた排藁カッタ６５にて適宜長さに短く切断されたのち、走行機体１の後方下方に排出されるように構成している。
【００２５】
次に、図４〜図９を参照して、連続再生式の排気ガス浄化装置７４（ディーゼルパティキュレートフィルタ）としての第１ケース７５並びにその取付け構造について説明する。図４〜図８に示す如く、排気ガス浄化装置７４は、ディーゼルエンジン１４の排気ガスを導入する連続再生式の第１ケース７５を備えている。排気ガス浄化ケースとしての第１ケース７５は、入口側ケース７６と、出口側ケース７７を有する。入口側ケース７６と出口側ケース７７の内部に、二酸化窒素（ＮＯ２）を生成する白金等のディーゼル酸化触媒７９（ガス浄化体）と、捕集した粒子状物質（ＰＭ）を比較的低温で連続的に酸化除去するハニカム構造のスートフィルタ８０（ガス浄化体）とを、排気ガスの移動方向（図６の下側から上側）に直列に並べている。入口側ケース７６と出口側ケース７７内のディーゼル酸化触媒７９とスートフィルタ８０によって、ディーゼルエンジン１の排気ガス中の粒子状物質（ＰＭ）の除去に加え、排気ガス中の一酸化炭素（ＣＯ）や炭化水素（ＨＣ）を低減するように構成している。
【００２６】
また、図４〜図８に示す如く、入口側ケース７６に排気ガス入口管としての浄化入口管８１を溶接固定すると共に、出口側ケース７７に排気ガス出口管としての浄化出口管８２の一端側をボルト締結する。浄化出口管８２の他端側に後述する尿素混合管２３９（排気管）の一端側（右端側）をフランジ締結固定させ、浄化出口管８２に尿素混合管２３９を接続している。浄化出口管８２は、折曲可能な蛇腹状管で構成されている。ディーゼルエンジン１４の排気ガスが浄化入口管８１から第１ケース７５内に導入され、第１ケース７５内の排気ガスが、浄化出口管８２から尿素混合管２３９に排出されるように構成している。なお、入口側ケース７６と出口側ケース７７は、複数組の厚板状中間フランジ体８４と複数本のボルトにて着脱可能に締結されている。
【００２７】
上記の構成により、ディーゼル酸化触媒７９の酸化作用によって生成された二酸化窒素（ＮＯ２）が、スートフィルタ８０内に一側端面（取入れ側端面）から供給される。ディーゼルエンジン１４の排気ガス中に含まれた粒子状物質（ＰＭ）は、スートフィルタ８０に捕集されて、二酸化窒素（ＮＯ２）によって連続的に酸化除去される。ディーゼルエンジン１４の排気ガス中の粒状物質（ＰＭ）の除去に加え、ディーゼルエンジン１４の排気ガス中の一酸化炭素（ＣＯ）や炭化水素（ＨＣ）の含有量が低減される。
【００２８】
次いで、図６〜図８に示す如く、走行機体１上にエンジンルームフレーム９１を立設し、走行機体１上面側に載置したディーゼルエンジン１４の後面側をエンジンルームフレーム９１にて囲む。エンジンルームフレーム９１は、左の角パイプ状支柱体９２と、右の角パイプ状支柱体９３と、左右の支柱体９２，９３に両端側を一体的に溶接固着する角パイプ状横フレーム９４を有する。また、運転キャビン１０の底面後部に設けるゴム製の圧接脚体（図示省略）を、横フレーム９４の左右の受け台９６上面に上方側から運転キャビン１０底部の圧接脚体を当接し、横フレーム９４の各受け台９６に運転キャビン１０の後部を上下方向に接離可能に支持している。運転キャビン１０底面側とエンジンルームフレーム９１にて形成されるエンジンルーム９７の内部にディーゼルエンジン１４を設置している。なお、図１に示す如く、左支柱体９２の上端側にコンベヤ支持体９０を設け、コンベヤ支持体９０を介して穀物排出コンベヤ８を収納位置に支持させる。
【００２９】
さらに、横フレーム９４に左右一対の浄化ケース支持体１１１を一体的に溶接固着している。また、第１ケース７５のうち入口側ケース７６の外側面に前面支持ブラケット１１４を一体的に溶接固着している。第１ケース７５の上下幅中間部（浄化入口管８１の上方側）に前面支持ブラケット１１４が配置される。左右一対の浄化ケース支持体１１１の間に前面支持ブラケット１１４の前部を後側方から嵌着させ、左右一対の浄化ケース支持体１１１と前面支持ブラケット１１４の左右側面に左右方向から螺着操作するボルト１１６にて、浄化ケース支持体１１１に前面支持ブラケット１１４を着脱可能に締結している。
【００３０】
図５〜図８に示す如く、ボルト１１６にて浄化ケース支持体１１１に前面支持ブラケット１１４を着脱可能に固着しており、エンジンルーム９７背面側の横フレーム９４（エンジンルームフレーム９１）に第１ケース７５を装着している。キャビン１０の下方側にエンジンルーム９７を形成すると共に、走行機体１の前方上方（機外側方）に向けてキャビン１０を移動可能に設置する。即ち、キャビン１０を支持する受け台９６と、第１ケース７５を支持する浄化ケース支持体１１１とを、エンジンルームフレーム９１の同一部位（横フレーム９４）に配置し、第１ケース７５に対してキャビン１０を接離可能に構成している。
【００３１】
さらに、図６及び図７に示す如く、第１ケース７５のうち入口側ケース７６の左側外周面に側面支持ブラケット１４１を一体的に溶接固着している。入口側ケース７６の外側面のうち同一円周上に、前面支持ブラケット１１４と側面支持ブラケット１４１を放射状（十字方向）に配置する。側面支持ブラケット１４１に組付け調節板１４２の一端側を位置調節可能にボルト１４３締結すると共に、脱穀装置５の機筐フレーム１４４右側面に組付け調節板１４２の他端側をボルト締結する。組付け調節板１４２を介して位置調節可能に側面支持ブラケット１４１と機筐フレーム１４４を連結固定させる。即ち、エンジンルーム９７側（横フレーム９４）に入口側ケース７６の前面を締結固定させる一方、脱穀装置５右側面（機筐フレーム１４４）に入口側ケース７６の左側面を締結固定させている。
【００３２】
図８に示す如く、エンジンルームフレーム９１に入口側ケース７６を介して第１ケース７５の中間部を縦置き姿勢に固着し、第１ケース７５下端側の前側面に浄化入口管８１を前向き姿勢に設け、エンジン１４上面側（機体前方）に向けて浄化入口管８１を延設させている。出力軸１１２を左右方向に向けて走行機体１に搭載したエンジン１４の前面側上部に、排気マニホールド１１７と過給機１１８を配置している。浄化入口管８１に折曲可能な蛇腹状排気導入管９８を介して排気連結管１１９の一端側を連結する一方、過給機１１８の排気出口管９９に排気連結管１１９の他端側を連結する。過給機１１８と排気連結管１１９を介して、排気マニホールド１１７に第１ケース７５を連通接続させている。
【００３３】
また、図１〜図８に示す如く、脱穀装置５の右側方において、脱穀装置５の右側面と穀物タンク７の前面とキャビン１０の後面とで包囲された閉鎖スペースに、上下方向に長い円筒形状（縦置き姿勢）の第１ケース７５を配置し、排気マニホールド１１７、過給機１１８、排気連結管１１９を介して、エンジン１４の排気ガスを第１ケース７５に導入するように構成している。また、左右方向に長いパイプ状の尿素混合管２３９を脱穀装置５に向けて延設するとともに、前後方向に長い円筒形状の第２ケース２２９を、脱穀装置５の上方に配置し、尿素混合管２３９と第２ケース２２９を介して、第１ケース７５の排気ガスをテールパイプ８３から排出させるように構成している。
【００３４】
次いで、図１〜図８に示す如く、前記ディーゼルエンジン１の各気筒から排出された排気ガスを浄化するための排気ガス浄化装置７４として、ディーゼルエンジン１の排気ガス中の窒素酸化物質を除去する尿素選択触媒還元（ＳＣＲ）システムとしての第２ケース２２９を備える。図４〜図８に示す如く、第２ケース２２９は、前後方向（走行方向）に長く延びた長尺円筒形状に形成し、第２ケース２２９には、尿素選択触媒還元用のＳＣＲ触媒２３２、酸化触媒２３３が内設され、窒素酸化物質（ＮＯｘ）を低減するように構成している。第２ケース２２９の前後端部（排気ガス移動方向一端側と同他端側）には、排気ガスを排出するＳＣＲ出口管２３７と、排気ガスを取入れるＳＣＲ入口管２３６を設けている。
【００３５】
尿素混合管２３９一端部（右端部）に尿素噴射部２４０を設けており、この尿素噴射部２４０を、第１ケース上方の排気ガス出口と連結した蛇腹管状の浄化出口管８２にボルト締結用フランジ１５２を介して着脱可能に連結させている。が締結固定されている。一方、尿素混合管２３９他端部（左端部）にＳＣＲ入口管２３６を連結させるものであり、尿素混合管２３９を介して、浄化出口管８２にＳＣＲ入口管２３６を接続させ、第１ケース７５の排気ガスを第２ケース２２９内に導入するように構成している。なお、後述する尿素水タンクの尿素水が尿素混合管２３９内に供給され、第１ケース７５から第２ケース２２９に至る排気ガス中に、尿素水が加水分解してアンモニアとして混合されるように構成している。
【００３６】
図４〜図７に示す如く、脱穀装置５上面で前後方向に沿って横置きとなるように、第２ケース２２９を支持させている。脱穀装置５上面の右側部（脱穀機筐右側上部の脱穀上面フレーム）に前後ケースブラケット２２５，２２６を立設させると共に、防振体（防振ゴム）２２７，２２８を介して前後ケースブラケット２２５，２２６に第２ケース支持体２３１を着脱可能にボルト締結する。第２ケース支持体２３１に締結バンド２３０にて第２ケース２２９を着脱可能に固着している。すなわち、ケース取付けフレーム２２５，２２６と第２ケース支持体２３１を介して、脱穀装置５上面に第２ケース２２９を支持させている。また、ケース取付けフレーム２２５，２２６と第２ケース支持体２３１との間に防振体２２７，２２８を介在させて、脱穀装置５上で第２ケース２２９を防振支持させている。
【００３７】
図４〜図７に示す如く、脱穀装置５上面側であって第２ケース２２９後方にテールパイプ８３を支持させており、第２ケース２２９とテールパイプ８３とを前後方向に直列配置している。脱穀装置５上面の右側部（脱穀機筐右側上部の脱穀上面フレーム）に前後パイプブラケット２４８，２４９を立設させると共に、前後パイプブラケット２４８，２４９の上端側にテールパイプ８３を固着している。テールパイプ８３前端側の排気ガス入口に第２ケース２２９後端のＳＣＲ出口管２３７を接続させるとともに、テールパイプ８３後端側の排気ガス出口を機体後方に向けて開口させている。このように、テールパイプ８３を第２ケース２２９後方で連通させることで、第２ケース２２９の排気ガスをテールパイプ８３から排出させるように構成している。
【００３８】
図１に示す如く、左支柱体９２の上端側にコンベヤ支持体９０を設け、コンベヤ支持体９０を介して穀物排出コンベヤ８を収納位置に支持可能に構成している。図１〜図６に示す如く、第２ケース２２９及びテールパイプ８３は、コンベヤ支持体９０で収納位置に支持された穀物排出コンベヤ８の下方に位置している。したがって、コンベヤ支持体９０で収納位置に支持された穀物排出コンベヤ８の下方で、尿素混合管２３９を穀物排出コンベヤ８と交差させることができ、尿素混合管２３９を穀物排出コンベヤ８と緩衝なく配置できる。また、穀物排出コンベヤ８や穀物タンク７などにて尿素混合管２３９を包囲できるから、尿素混合管２３９の温度を高温度に維持できるだけでなく、収穫作業中、第１ケース７５または第２ケース２２９または尿素混合管２３９などの高温部に作業者が接触するのを防止できる。
【００３９】
上記の構成により、第１ケース７５内の酸化触媒７９及びスートフィルタ８０にて、ディーゼルエンジン１４の排気ガス中の一酸化炭素（ＣＯ）や、炭化水素（ＨＣ）が低減される。次いで、尿素混合管２３９の内部で、ディーゼルエンジン１４からの排気ガスに、尿素噴射部２４０からの尿素水が混合されるものであり、第２ケース２２９内のＳＣＲ触媒２３２、酸化触媒２３３にて、尿素水がアンモニアとして混合された排気ガス中の窒素酸化物質（ＮＯｘ）が低減され、第２ケース２２９にて淨化された排気ガスがテールパイプ８３から脱穀装置５後部の上面側に向けて排出される。なお、小径側のＳＣＲ出口管２３７と大径側のテールパイプ８３の接続部に隙間が形成されるもので、前記隙間からテールパイプ８３内に外気を吸込ませ、ＳＣＲ出口管２３７からの排気ガスに前記外気を混合して、排気温度が低下した排気ガスを、テールパイプ８３から排出させるように構成している。
【００４０】
図１〜図８に示す如く、ディーゼルエンジン１４の排気ガス中の粒子状物質を除去する第１ケース７５と、エンジン１４の排気ガス中の窒素酸化物質を除去する第２ケース２２９を備えるコンバインにおいて、エンジンルーム９７または脱穀装置５に対向させて第１ケース７５を縦置き姿勢に設けると共に、第１ケース７５の上方側に第２ケース２２９を横置き姿勢に設けている。したがって、第１ケース７５と第２ケース２２９の平面設置スペースを狭少に形成でき、エンジンルーム９７または脱穀装置５の外側スペースを利用して第１ケース７５と第２ケース２２９をコンパクトに支持できる。また、エンジンルーム７５を構成するエンジンルームフレーム９１等を活用して、第１ケース７５と第２ケース２２９の支持構造を簡略化できるものでありながら、第１ケース７５と第２ケース２２９の支持剛性を容易に向上できる。
【００４１】
図４〜図８に示す如く、エンジンルーム９７の外側に第１ケース支持体１１４，１４１を介して第１ケース７５を設置する一方、エンジンルーム９７に隣接した脱穀装置５上面側に第２ケース支持体２３１を介して第２ケース２２９を設置している。したがって、脱穀装置５の穀物収納容量を簡単に確保できるものでありながら、脱穀装置５にて第２ケース２２９荷重を負担できる。そのため、エンジンルーム７５または脱穀装置５にて第１ケース７５と第２ケース２２９の支持荷重を分担して、第１ケース７５と第２ケース２２９を高剛性に固着できる。
【００４２】
図４〜図８に示す如く、第１ケース７５を縦型に支持する一方、第２ケース２２９を横型に支持するように構成している。これにより、エンジンルーム９７と、エンジンルーム９７に隣接した脱穀装置５や穀物タンク７の間に、第１ケース７５をコンパクトに設置できると共に、脱穀装置５上面に第２ケース２２９をコンパクトに設置できる。また、エンジンルーム９７または脱穀装置５または穀物タンク７などにて第１ケース７５を包囲できるから、排気ガスの浄化に必要な高温度に第１ケース７５の温度を容易に維持できる。
【００４３】
すなわち、エンジンルーム７５の外側に第１ケース７５を縦型に支持すると共に、穀物タンク７左側と平行に第２ケース２２９を脱穀装置５上面で横型に支持し、尿素混合管２３９に第２ケース２２９を平面視Ｌ形に連結した。穀物タンク７の穀粒排出コンベヤ８よりも低い姿勢に尿素混合管２３９と第２ケース２２９をコンパクトに設置できるものでありながら、第２ケース２２９と、第２ケース２２９に接続するテールパイプ８３などを、脱穀装置５の上面側に容易に配置でき、組付け作業性またはメンテナンス作業性などを向上できる。
【００４４】
図４〜図８に示す如く、エンジンルーム９７の外側にケース支持体１１１，１４１を介して第１ケース７５を設け、エンジンルーム９７に隣接した脱穀装置５上面側に第２ケース支持体２３１を介して第２ケース２２９を設けると共に、第１ケース７５上部に尿素混合管２３９を介して第２ケース２２９前部を接続している。そして、脱穀装置５上面に沿わせて第２ケース２２９を前後向きに支持する一方、エンジンルーム９７背面の穀物タンク７前面に沿わせて尿素混合管２３９を左右向きに延設している。
【００４５】
これにより、エンジンルーム９７外側で第１ケース７５と尿素混合管２３９をコンパクトに支持できると共に、エンジンルーム９７または脱穀装置５にて第１ケース７５と第２ケース２２９の支持荷重を分担して、第１ケース７５と第２ケース２２９を高剛性に固着できる。また、穀物タンク７の穀物収納容量を簡単に確保できるものでありながら、エンジンルーム９７と、該ルーム９７に隣接した穀物タンク７の間に、第１ケース７５と尿素混合管２３９をコンパクトに設置できる。さらに、排気ガスの浄化に必要な高温に第１ケース７５と尿素混合管２３９の温度を容易に維持できる。
【００４６】
図４〜図７に示す如く、第２ケース支持体２３１を脱穀装置５に防振体（防振ゴム）２２７，２２８を介して固定することで、第２ケース２２９を脱穀装置５上に支持させている。これにより、第２ケース２２９を防振支持することができるため、脱穀装置５の振動に第２ケース２２９が影響を受けることなく、第２ケース２２９の破損や故障を防止できると同時に、尿素混合管２３９との連結の緩みを防止できる。また、第２ケース２２９を防振支持できることから、脱穀装置５上の第２ケース２２９の配置場所が固定化されず、排気経路の取り回しなどを短経路化するなど柔軟に設計できる。
【００４７】
図８に示す如く、第１ケース７５を、エンジンルーム９７を構成するエンジンルームフレーム９１に支持させており、エンジン１４と第１ケース７５の排気ガス入口とを蛇腹状の排気ガス導入管９８で連結するとともに、第１ケース７５の排気ガス出口と尿素混合管２３９の排気ガス入口とを蛇腹状の排気ガス出口管８２で連結している。これにより、第１ケース７５及び第２ケース２２９のそれぞれが振動源の異なる場所に配置されるものであっても、排気ガス導入管９８及び排気ガス出口管８２それぞれで振動を吸収できるため、連結部分の破損又は故障を防止できる。また、尿素混合管２３９の排気ガス入口よりも上流側で振動を吸収する構造となるため、尿素混合管２３９内での尿素噴射に対して、各部の振動が与える影響を低減でき、尿素混合管２３９内での尿素析出を抑制し、結果、高い浄化効果を維持できる。
【００４８】
図４〜図８に示す如く、第１ケース７５から第２ケース２２９に移動する排気ガス中に尿素水を噴射させる尿素混合管２３９を備え、第２ケース２２９に沿わせて尿素混合管２３９を左右向きに延設させ、第１ケース７５上部に尿素混合管２３９を介して第２ケース２２９を接続している。したがって、第２ケース２２９と尿素混合管２３９をコンパクトに設置できると共に、収穫作業中、第２ケース２２９または尿素混合管２３９などの高温部に作業者が接触するのを防止できる。また、ディーゼルエンジン１４とテールパイプ８３間の排気経路を短尺に形成して、排気ガスの浄化に必要な高温度に、前記排気経路中の排気ガスの温度を容易に維持できる。
【００４９】
図１〜図８に示す如く、オペレータが搭乗するための運転キャビン１０を備える構造であって、エンジンルーム９７のフレーム（エンジンルームフレーム９１）のうち、運転キャビン１０を支持するための背面側フレーム（横フレーム９４、左支柱体９２）に第１ケース７５を取付けている。したがって、ディーゼルエンジン１４に近接させて、第１ケース７５を高剛性に支持できるものでありながら、着脱作業などが容易なエンジンルーム９７の外側スペースに、低コスト支持構造にて第１ケース７５を組付けることができる。更に、運転キャビン１０後方に第１ケース７５及び第２ケース２２９を設置する構成であるため、収穫作業中、第１ケース７５または第２ケース２２９または尿素混合管２３９などの高温部に作業者が接触するのを防止できる。
【００５０】
次いで、図９〜図１２を参照して、尿素混合管２３９の内部に尿素水溶液を供給する構造を説明する。図９、図１０に示す如く、穀物タンク７の底部に横送りコンベヤ８ｂを前後向きに配置し、穀物タンク７底部に機外側底板７ａと機内側底板７ｂを設け、横送りコンベヤ８ｂに向けて機外側底板７ａと機内側底板７ｂを傾斜させ、穀物タンク７内部の穀粒を横送りコンベヤ８ｂ方向に流下させると共に、走行機体１の収納位置に穀物タンク７を固定支持するロックピン１６１とロックアーム１６２を備え、脱穀装置５の右側上面にロックピン１６１を固着し、穀物タンク７前面の左側部にロックアーム１６２を取付ける。また、穀物タンク７前面にロック解除レバー１６４を取付け、ロックアーム１６２に連係ロッド１６３を介してロック解除レバー１６４を連結させ、ロック解除レバー１６４操作にてロックピン１６１からロックアーム１６２を離脱可能に構成する。一方、縦取出しコンベヤ８ａ上に穀物タンク７後部を支持させ、ロック解除レバー１６４のロックアーム１６２離脱操作にて、縦取出しコンベヤ８ａ軸心線回りに穀物タンク７を機外側に向けて横移動させ、脱穀装置５右側面とエンジンルーム９７後面を開放可能に構成している。
【００５１】
図９〜図１１に示す如く、穀物タンク７の機外側底板７ａ外側面にタンク支持体１７３を設け、タンク支持体１７３を介して穀物タンク７の機外側底板７ａ外側面に尿素水タンク１７４を支持させる。なお、穀物タンク７の機外側底板７ａ外側面に底部カバー体１６５を着脱可能に設け、底部カバー体１６５の機内側方に尿素水タンク１７４を配置している。また、また、図１１に示す如く、穀物タンク７に搭載された尿素水タンク１７４内の尿素水溶液を圧送する尿素水ポンプ１７５と、尿素水ポンプ１７５を駆動する電動モータ１７６と、尿素水ポンプ１７５に尿素水噴射管１７７を介して接続させる尿素水噴射弁１７８を備える。
【００５２】
さらに、図１１に示す如く、尿素水タンク１７４と尿素水ポンプ１７５の間に、尿素水供給管１７９と尿素水戻し管１８０を接続させると共に、ディーゼルエンジン１４の燃料噴射制御などを実行するエンジンコントローラ１８１と、尿素水ポンプ１７５または尿素水噴射弁１７８を制御する尿素噴射コントローラ１８２を備え、尿素混合管２３９の尿素噴射部２４０に尿素水噴射弁１７８を取付け、尿素混合管２３９の内部に尿素水噴射弁１７８から尿素水溶液を噴霧する。尿素混合管２３９内に供給される尿素水が、第１ケース７５から第２ケース２２９に至る排気ガス中にアンモニアとして混合されるように構成している。なお、尿素水タンク１７４の尿素水温度センサ１８３と、尿素水タンク１７４の尿素水量センサ１８４に、尿素噴射コントローラ１８２を接続すると共に、エンジンコントローラ１８１と尿素噴射コントローラ１８２を接続し、ディーゼルエンジン１４の作動状況などに応じて、尿素混合管２３９内に尿素水が適正時期に供給されるように構成している。
【００５３】
次いで、図９、図１２を参照して、尿素水タンク１７４取付け構造の変形例を説明する。図９に示す如く、穀物タンク７底部の機内側底板７ｂと、その下方の走行機体１上面の間に、仮想線にて示すように尿素水タンク１７４を設置してもよく、機内側底板７ｂまたは走行機体１に尿素水タンク１７４を取付けることができる。また、図１２に示す如く、穀物タンク７底部の機外側底板７ａに対向する走行機体１上面にタンク支持体１７３ａを設け、穀物タンク７底部機外側の走行機体１上面にタンク支持体１７３ａを介して尿素水タンク１７４を取付けることもできる。
【符号の説明】
【００５４】
５  脱穀装置
１０  運転キャビン
１４  ディーゼルエンジン
７５  第１ケース
８１  浄化入口管（排気ガス取入れ口）
８２  浄化出口管（排気ガス出口）
８３  テールパイプ
９７  エンジンルーム
９１  エンジンルームフレーム
９２  左支柱体（背面側フレーム）
９４  横フレーム（背面側フレーム）
９７  エンジンルーム
２２９  第２ケース
２３６  ＳＣＲ入口管（排気ガス取入れ口）
２３７  ＳＣＲ出口管（排気ガス排出口）
２３９  尿素混合管
【図１】
2016146772.tif 000003
【図２】
2016146772.tif 000004
【図３】
2016146772.tif 000005
【図４】
2016146772.tif 000006
【図５】
2016146772.tif 000007
【図６】
2016146772.tif 000008
【図７】
2016146772.tif 000009
【図８】
2016146772.tif 000010
【図９】
2016146772.tif 000011
【図１０】
2016146772.tif 000012
【図１１】
2016146772.tif 000013
【図１２】
2016146772.tif 000014